(57)【要約】      （修正有）【課題】被介護者がいきいきと楽しく安全に歩行訓練を行うことができ、且つ、室内床面の清掃にも利用できる介護用歩行具を提供する。【解決手段】介護用歩行具は、履物２の底面に取り付けられ底面よりも広い底面領域を形成するソール部材１０と、ソール部材に設けられて履物をソール部材に締着するベルト２０、２２と、ソール部材の底面を覆うようにソール部材に取り付けられる布部材３０と、を有し、布部材には、ソール部材の前端近傍が挿入される前支持ポケット３２と、ソール部材の後端近傍が挿入される後支持ポケット３４と、が形成されている。広い面積のソール部材と着脱が容易な布部材によって、被介護者の転倒等のリスクを低減することができ、衝撃荷重を吸収して歩行負担を減らすことができる。また、布部材によって室内床面を安全に清掃することもできる。【選択図】図１
0003222615.tif 000002
【実用新案登録請求の範囲】
【請求項１】
履物の底面に取り付けられ前記底面よりも広い底面領域を形成するソール部材と、
前記ソール部材に設けられて前記履物を前記ソール部材に締着するベルトと、
前記ソール部材の底面を覆うように前記ソール部材に取り付けられる布部材と、を有し、
前記布部材には、前記ソール部材の前端近傍が挿入される前支持ポケットと、前記ソール部材の後端近傍が挿入される後支持ポケットと、が形成されていることを特徴とする介護用歩行具。
【請求項２】
前記ソール部材の前端近傍には、前記前支持ポケットに挿入されて前記前支持ポケットと共に上面側に回動してロックされ前記布部材を支持する布ロック部材が設けられていることを特徴とする請求項１に記載の介護用歩行具。
【請求項３】
前記ソール部材には、前記履物の後面に当接して前記履物を支持する踵支持部が形成されており、
前記ベルトとして、前記履物の足背部を支持する前ベルトと、前記履物の足首前部及び足首後部を支持する後ベルトと、が設けられていることを特徴とする請求項１または請求項２に記載の介護用歩行具。
【請求項４】
前記布部材は、少なくとも床面側が雑巾であることを特徴とする請求項１から請求項３の何れか１項に記載の介護用歩行具。
【考案の詳細な説明】
【技術分野】
【０００１】
本考案は、介護用歩行具に関し、特に、被介護者の履物の底面に取り付けられて安全な歩行訓練を可能とし、且つ、室内床面の清掃にも利用できる介護用歩行具に関する。
【背景技術】
【０００２】
足弱になった老人や病人等の歩行能力を回復させるためにリハビリテーションの歩行訓練が行われることがある。従来、このようなリハビリテーションは、平行棒等の歩行訓練用装置や、四点杖や一本杖等の杖、歩行器等を利用して行われることが一般的であった。
【０００３】
この種の歩行訓練では、被介護者は、一般的な運動靴や着脱が容易な要介護者用の靴等を履いて歩行していた。例えば、特許文献１や特許文献２には、要介護者が自力で容易に着脱できる要介護者用靴が開示されている。
【先行技術文献】
【特許文献】
【０００４】
【特許文献１】特開２０１４−２２３２２０号公報
【特許文献２】特開２０１５−１８１６４２号公報
【考案の概要】
【考案が解決しようとする課題】
【０００５】
しかしながら、上記した従来のリハビリテーション等による歩行訓練では、歩行能力の回復の効果を高めるために改善すべき点があった。
【０００６】
具体的には、従来の歩行訓練においては、被介護者は、一般的な運動靴や特許文献１または特許文献２に開示された要介護者用靴等のような履物を履いて歩行する。それら従来技術の履物は、柔軟で弾性力に優れたポリウレタン等の樹脂やゴム等から形成された靴底部が床面に当接して被介護者の体重を支える構造であるが、一般的な靴の形状を有し、歩行訓練を行う被介護者に対していきいきと楽しい気持ちを与えるような別段の構成を備えているものではない。そのため、足が丈夫でない人が安全に楽しく歩行できるよう支援するための歩行具の開発が望まれていた。
【０００７】
また従来、被介護者の訓練を支援する介護者や清掃担当者等は、リハビリテーション室の床面を清掃する必要があった。そのため、介護者等がリハビリテーション室の清掃を行う場合には、清掃作業に時間を要し被介護者を指導する時間が制限されてしまう。これに対応するためには介護者の数を増やす必要があるが、社会的に介護者が不足している状況において、介護者を確保することは難しい。また、清掃専門の作業者に清掃作業を任せる場合においても、清掃作業者として介護従事者を増やす必要があり、その人員確保は容易ではなかった。
【０００８】
本考案は、上記の事情に鑑みてなされたものであり、その目的とするところは、被介護者がいきいきと楽しく安全に歩行訓練を行うことができ、且つ、室内床面の清掃にも利用できる介護用歩行具を提供することにある。
【課題を解決するための手段】
【０００９】
本考案の介護用歩行具は、履物の底面に取り付けられ前記底面よりも広い底面領域を形成するソール部材と、前記ソール部材に設けられて前記履物を前記ソール部材に締着するベルトと、前記ソール部材の底面を覆うように前記ソール部材に取り付けられる布部材と、を有し、前記布部材には、前記ソール部材の前端近傍が挿入される前支持ポケットと、前記ソール部材の後端近傍が挿入される後支持ポケットと、が形成されていることを特徴とする。
【考案の効果】
【００１０】
本考案の介護用歩行具によれば、履物の底面に取り付けられ履物の底面よりも広い底面領域を形成するソール部材が、ソール部材に設けられたベルトによって履物に固定される。このような構成により、被介護者の荷重を床面に広く伝達する底面領域が構成され、履物の傾きや床面との滑りを抑えて被介護者の転倒等のリスクを低減する安全な介護用歩行具が得られる。
【００１１】
そして、ソール部材には、ソール部材の底面を覆うように布部材が取り付けられているので、布部材によって被介護者の衝撃荷重を安全に吸収して被介護者の歩行負担を減らすことができる。また、布部材によって室内床面を安全に清掃する効果を得ることもできる。
【００１２】
また、布部材には、ソール部材の前端近傍が挿入される前支持ポケットと、ソール部材の後端近傍が挿入される後支持ポケットと、が形成されている。これにより、布部材の取り付け取り外しを容易に行うことができる。
【００１３】
また、本考案の介護用歩行具によれば、ソール部材の前端近傍には、前支持ポケットに挿入されて前記前支持ポケットと共に上面側に回動してロックされ前記布部材を支持する布ロック部材が設けられていても良い。このような構成により、ソール部材に取り付けられた布部材を布ロック部材でロックして、歩行中に布部材が外れてしまうことを防止することができる。よって、介護用歩行具の安全性を高めることができる。
【００１４】
また、本考案の介護用歩行具によれば、前記ソール部材には、前記履物の後面に当接して前記履物を支持する踵支持部が形成されており、前記ベルトとして、前記履物の足背部を支持する前ベルトと、前記履物の足首前部及び足首後部を支持する後ベルトと、が設けられていても良い。このような構成により、履物への取り付け取り外しが容易で、歩行中に履物からずれてしまうことなく被介護者の荷重を支えることができる安全な介護用歩行具が得られる。
【００１５】
また、本考案の介護用歩行具によれば、前記布部材は、少なくとも床面側が雑巾であっても良い。これにより、被介護者は、介護用歩行具を用いた歩行訓練によって室内の床面を清掃することができる。よって、介護者等の清掃作業の負担を削減することができ、人員削減の効果も得られる。また、このような床面掃除により、被介護者は、いきいきとした日常生活の感覚で楽しく歩行訓練を行うことができる。そして、床面に沿うように足が動かされることにより、被介護者の下半身には好適な運動負荷が与えられる。よって、清掃機能を有することは歩行能力の回復効果の向上にも繋がる。
【図面の簡単な説明】
【００１６】
【図１】本考案の実施形態に係る介護用歩行具を前方左斜め上から見た透視図である。
【図２】本考案の実施形態に係る介護用歩行具の側面図である。
【図３】本考案の実施形態に係る介護用歩行具のソール部材の平面図である。
【図４】本考案の実施形態に係る介護用歩行具の布部材の平面図である。
【図５】本考案の実施形態に係る介護用歩行具の後支持ポケット付近の側面断面図である。
【図６】本考案の実施形態に係る介護用歩行具の布ロック部材付近の側面断面図であり、布ロック部材近傍が前支持ポケットに挿入された状態を模式的に示す図である。
【図７】本考案の実施形態に係る介護用歩行具の布ロック部材付近の側面断面図であり、前支持ポケット近傍が布ロック部材にロックされた状態を模式的に示す図である。
【図８】本考案の実施形態に係る介護用歩行具の左側の布側辺支持部近傍を示す断面図である。
【考案を実施するための形態】
【００１７】
以下、本考案の実施形態に係る介護用歩行具を図面に基づき詳細に説明する。
図１は、本考案の実施形態に係る介護用歩行具１を前方左斜め上から見た透視図であり、介護用歩行具１の概略構成を示している。介護用歩行具１は、リハビリテーション室内や一般家庭の室内等で被介護者が歩行訓練を行うために利用する歩行具である。また、介護用歩行具１は、室内の床面を掃除するモップ等に代わる清掃用具としても利用可能な歩行具である。
【００１８】
図１に示すように、介護用歩行具１は、被介護者の履物２の底面に取り付けられるソール部材１０と、ソール部材１０に設けられてソール部材１０と履物２を固定するベルトである前ベルト２０及び後ベルト２２と、ソール部材１０の底面を覆う布部材３０と、から構成されている。
【００１９】
履物２は、一般的な運動靴や被介護者のために着脱容易に形成された歩行訓練用の靴等である。また、被介護者は、履物２として靴下等を履いて本考案の介護用歩行具を利用することも可能である。
【００２０】
ソール部材１０は、履物２の底面に取り付けられて履物２を支持する略長方形平板状の部材であり、履物２の底面よりも広い底面領域を形成する。履物２を履いた被介護者は、履物２を履いた足をソール部材１０の上面に置き、履物２の底面をソール部材１０の上面に当てて前ベルト２０及び後ベルト２２で固定する。このような構成により、被介護者の荷重を床面に広く伝達する底面領域が構成され、履物２の傾きや床面との滑りを抑えて被介護者の転倒等のリスクを低減する安全な介護用歩行具１が得られる。
【００２１】
前ベルト２０及び後ベルト２２は、履物２をソール部材１０に締着するベルトであり、例えば、ゴム材料や伸縮性を有する合成樹脂材料等から略帯状に形成されている。具体的には、前ベルト２０は、履物２の前方側の上面である足背部近傍を締着して着脱自在に支持し、後ベルト２２は、履物２及び履物２を履いた被介護者の足首前部近傍及び足首後部を締着して着脱自在に支持する。
【００２２】
前ベルト２０及び後ベルト２２が設けられていることにより、歩行中に履物２から介護用歩行具１が外れてしまうことが防止され、被介護者は、安全な歩行訓練を行うことができる。また、被介護者は、前ベルト２０及び後ベルト２２による締着を容易に調整して、介護用歩行具１を容易に着脱することができる。
【００２３】
ソール部材１０の底面には、その底面を覆うように布部材３０が取り付けられる。布部材３０は、歩行中に被介護者の歩行荷重を支え衝撃を和らげるクッション材としての機能を有すると共に、ソール部材１０の底面と室内床面との滑りを防止する機能を有する。これにより歩行訓練の安全性が高められる。
【００２４】
布部材３０は、少なくとも床面側が雑巾で形成されている。これにより、被介護者は、介護用歩行具を用いた歩行訓練に際し、布部材３０によって室内の床面を安全に清掃することができる。これにより、介護者等の清掃作業の負担を削減することができ、人員削減の効果も得られる。また、このような床面清掃により、被介護者は、いきいきとした日常生活の感覚で楽しく歩行訓練を行うことができる。そして、床面に沿うように足が動かされることにより、被介護者の下半身には好適な運動負荷が与えられる。よって、清掃機能を有することは歩行能力の回復効果の向上にも繋がる。
【００２５】
布部材３０は、履物２がソール部材１０に固定される前にソール部材１０に取り付けられても良いし、履物２をソール部材１０に固定した後にソール部材１０に取り付けられても良い。即ち、被介護者は、介護用歩行具１を利用した歩行訓練や室内床面の清掃を行った際に、履物２がソール部材１０に取り付けられている状態で、布部材３０を交換することもできる。
【００２６】
図２は、介護用歩行具１の構成を模式的に示す側面図である。図２において、布部材３０は断面で示されている。図１及び図２に示すように、ソール部材１０の上面前方側には、前ベルト２０を支持する左右一対の前ベルト支持部１１が形成されている。前ベルト支持部１１には、前ベルト２０を挿通する支持孔が形成されており、前ベルト２０は、前ベルト支持部１１の支持孔に挿通され、履物２を締め付けるよう固定される。
【００２７】
具体的には、前ベルト２０には、前ベルト２０を長さ調製可能に固定する尾錠２１が設けられている。左右の前ベルト２０は、一方の端部近傍が前ベルト支持部１１の支持孔に挿通されて固定され、他方の端部近傍が尾錠２１によって連結される。そして、左右の前ベルト２０は、履物２の足背部近傍を締着するよう締め付けられて尾錠２１によって固定される。
【００２８】
なお、左右の前ベルト２０を連結する方法は、フックやボルト等を利用した方法でも良い。また、十分な伸縮性を有する前ベルト２０を採用し、左右の前ベルト２０が連結されている状態において前ベルト２０の伸縮性を利用して履物２の脱着を可能とする構成でも良い。
【００２９】
ソール部材１０の上面後方側には、後ベルト２２を支持する左右一対の後ベルト支持部１２が形成されている。後ベルト支持部１２には、後ベルト２２を挿通する支持孔が形成されている。
【００３０】
後ベルト２２は、履物２及び履物２を履いた被介護者の足首前部近傍を支持する前支持部２４と、足首後部近傍を支持する後支持部２７と、を有する、後ベルト２２の後支持部２７の左右端部近傍は、後ベルト支持部１２の支持孔に挿通されて尾錠２３によって長さ調製自在に固定されている。なお、後ベルト２２は、フックやボルト等を利用して後ベルト支持部１２に固定されても良い。
【００３１】
後ベルト２２の前支持部２４は、足首前部近傍を締着する部分であり、後支持部２７の左右端部近傍から足背部近傍で交差するよう前方左右方向に延在し、前支持部２４の端部近傍にはフック２６が設けられている。詳しくは、前支持部２４の前端近傍は、フック２６の固定孔部に挿通されて折り返され、尾錠２５によって長さ調製可能に固定される。
【００３２】
ソール部材１０の上面略中央部には、後ベルト２２を支持する左右一対のフック係止部１３が形成されている。フック係止部１３には、後ベルト２２の前支持部２４に設けられたフック２６が掛けられる支持孔が形成されており、フック２６は、ソール部材１０に設けられたフック係止部１３に掛けられる。これにより、後ベルト２２は、履物２を締め付けるようにしてソール部材１０に固定される。
【００３３】
ソール部材１０の上面後部には、履物２の後面に当接して履物２を支持する踵支持部１５が形成されている。そして、前述のとおり、ソール部材１０には、履物２を締着する前ベルト２０及び後ベルト２２が設けられている。このような構成により、履物２への取り付け取り外しが容易で、歩行時には被介護者の荷重を踵支持部１５、前ベルト２０及び後ベルト２２で支えることができ、履物２からずれてしまうことのない安全な介護用歩行具１が得られる。
【００３４】
ソール部材１０の底面を覆うように取り付けられる布部材３０には、ソール部材１０の前端近傍が挿入される前支持ポケット３２と、ソール部材１０の後端近傍が挿入される後支持ポケット３４と、が形成されている。これにより、布部材３０の取り付け取り外しを容易に行うことができると共に、歩行時に布部材３０が外れてしまうことを防止することができる。また、布部材３０は、少なくとも前後方向に伸縮自在であっても良い。これによりソール部材１０への取り付け取り外しが容易になる。
【００３５】
ソール部材１０の前端近傍には、前支持ポケット３２に挿入されて前支持ポケット３２と共に上面側に回動してロックされる布ロック部材１６が設けられており、この布ロック部材１６によって布部材３０の前端近傍が支持される。このような構成により、布部材３０の取り付け取り外しが容易になると共に、ソール部材１０に取り付けられた布部材３０の前端近傍を布ロック部材１６でロックして、歩行中に布部材３０が外れてしまうことを防止することができ、介護用歩行具１の安全性を高めることができる。
【００３６】
図３は、介護用歩行具１のソール部材１０を模式的に示す平面図である。ソール部材１０は、例えば、合成樹脂材料等から形成され、図３に示すように、上面視で外周が略長方形状であり、上面から下面に貫通する複数の貫通孔部を有する略格子形状の形態になっている。
【００３７】
ソール部材１０の略格子形状を構成する外周部や、前後左右方向の棒状部等は、中空状や断面略コ字状、略Ｌ字状等に形成されていても良い。これにより、軽量で被介護者への負担が少なく、歩行時の荷重に耐え得る高強度なソール部材１０が得られる。
【００３８】
ソール部材１０の前方側端部近傍には、前述のとおり、布部材３０（図２参照）の前支持ポケット３２（図６参照）に挿通されて前支持ポケット３２をロックする布ロック部材１６が設けられている。ソール部材１０の本体部分と布ロック部材１６とは、回動軸１７によって回動自在に連結されている。
【００３９】
図示を省略するが、回動軸１７は、ソール部材１０の本体部分または布ロック部材１６の何れか一方に形成された略円柱状に突出する軸部が、他方に形成された軸穴部に嵌合するよう形成されている。
【００４０】
布ロック部材１６の近傍上面には、上方に向かって突出する形状の係合部１８が形成されている。ソール部材１０の本体部の前端部近傍の上面には、係合部１８に係合する係合部１９が形成されている。
【００４１】
ソール部材１０の左右端部近傍の上面側には、布部材３０の左右両辺部近傍を支持する布側辺支持部１４が形成されている。布側辺支持部１４の詳細については後述する。
【００４２】
図４は、介護用歩行具１の布部材３０を模式的に示す平面図である。図４に示すように、底面が雑巾から形成された布部材３０の上面前方側には、前支持ポケット３２を形成する支持布３１が設けられている。
【００４３】
支持布３１は、例えば、合成樹脂製の布材やシート材から形成され上面視略長方形状の形態をなす。支持布３１の前辺部近傍及び左右両辺部近傍は、布部材３０に縫い付けられており、これにより、支持布３１の後辺部が開口し、支持布３１の下面と布部材３０の上面との間にソール部材１０（図３参照）の前部の布ロック部材１６（図６参照）が挿入される前支持ポケット３２が形成されている。
【００４４】
布部材３０の上面後方側には、後支持ポケット３４を形成する支持布３３が設けられている。支持布３３は、例えば、合成樹脂製の布材やシート材から形成されている。支持布３３の後辺部近傍及び左右両辺部近傍は、布部材３０に縫い付けられており、これにより、支持布３３の前方部は開口し、支持布３３の下面と布部材３０の上面との間にソール部材１０の後部が挿入される後支持ポケット３４が形成されている。
【００４５】
支持布３３の前方側は、後方側に向かって凹むような形状に形成されていても良く、また、支持布３３は、左右に分かれていても良い。左右に略分割された支持布３３の内側前方端部近傍は、上面視で略円弧状に形成されていても良い。このような構成により、後支持ポケット３４へのソール部材１０の後端部の挿入が容易になる。
【００４６】
布部材３０の左右両側辺部の前後方向略中央部近傍には、側辺部から左右方向外側に広がる横支持部３５が形成されている。横支持部３５には、布部材３０の側辺部近傍をソール部材１０の布側辺支持部１４に固定するための支持孔３６が形成されている。なお、横支持部３５は、布部材３０の本体部から同一の布材で連続して形成されても良いし、別の布材から形成されて布部材３０の側辺部近傍に縫合等されても良い。
【００４７】
図５は、介護用歩行具１の後支持ポケット３４付近を模式的に示す側面断面図である。図５に示すように、布部材３０の後端部近傍の上面には、支持布３３の後端部近傍が縫い付け等によって接続されている。これにより、布部材３０の後端部近傍には、布部材３０の中心方向に向かって開口する後支持ポケット３４が形成されている。そして、前述のとおり、後支持ポケット３４には、ソール部材１０の後端部近傍が挿入され支持される。
【００４８】
図６は、介護用歩行具１の布ロック部材１６付近の側面断面図であり、布ロック部材１６近傍が前支持ポケット３２に挿入された状態を模式的に示す図である。図６に示すように、布部材３０の前端部近傍には、支持布３１の前端部近傍が縫い付け等によって接続されている。これにより、布部材３０の前端部近傍には、布部材３０の中心方向に向かって開口する前支持ポケット３２が形成されている。
【００４９】
前支持ポケット３２には、ソール部材１０の先端部近傍に形成されている布ロック部材１６が、先端が前方または斜め下方を向くよう回動された状態で挿入される。布ロック部材１６の先端が斜め下方を向くように開かれていることにより、布ロック部材１６を前支持ポケット３２に挿入する作業が容易になる。被介護者は、ソール部材１０に布部材３０を容易に取り付けることができる。
【００５０】
なお、布ロック部材１６の近傍上面には、例えば、上方斜め後方に向かって突出する形状の係合部１８が形成されている。そして、ソール部材１０の本体部前方の上面には、係合部１８に係合する、例えば、上方斜め後方に向かって突出する形状の係合部１９が形成されている。
【００５１】
図７は、介護用歩行具１の布ロック部材１６付近の側面断面図であり、前支持ポケット３２近傍が布ロック部材１６にロックされた状態を模式的に示す図である。図７に示すように、前支持ポケット３２に挿入された布ロック部材１６は、回動軸１７を中心として、布部材３０の前端部近傍と共に前方から後方に向かって回動する。布部材３０の前端部近傍は、布ロック部材１６の回動によって曲折された形となり、前支持ポケット３２を形成している支持布３１は、ソール部材１０の上面と布ロック部材１６に挿まれることになる。
【００５２】
ソール部材１０の上面に形成されている係合部１９と、布ロック部材１６に形成されている係合部１８と、が布部材３０の支持布３１を挿んだ状態で係合し、布部材３０の前端部近傍がソール部材１０の前端部近傍にロックされ固定される。
【００５３】
このように、布部材３０の前端部近傍が布ロック部材１６によってソール部材１０にロックされて支持されることにより、歩行中の布部材３０の外れが防止され、介護用歩行具１の安全性が向上する。また、布部材３０は、布ロック部材１６の回動によって前後に引き伸ばされるように固定されるため、歩き易く歩行訓練に適した安全な介護用歩行具１が得られる。
【００５４】
被介護者は、布ロック部材１６を前支持ポケット３２に挿入して回動させるという簡単なロック操作によって布部材３０を外れないようにロックして介護用歩行具１の安全性を高めることができる。
【００５５】
図８は、介護用歩行具１の左側の布側辺支持部１４近傍を前方からみた断面図である。図８に示すように、布部材３０の左右両側辺近傍に形成されている横支持部３５は、ソール部材１０の側辺部近傍を覆うように上方に曲折されても良い。これにより、布部材３０が左右方向に移動してしまうことが防止され、介護用歩行具１の安全性が高められる。
【００５６】
また、前述の通り、ソール部材１０の左右両側辺部近傍には、上方に曲折された布部材３０の横支持部３５を固定する布側辺支持部１４が設けられている。具体的には、布側辺支持部１４は、例えば、布部材３０の横支持部３５に形成されている支持孔３６が嵌められる支持ボルト４１と、ソール部材１０に形成されて支持ボルト４１が挿通される支持孔４０と、支持孔４０に挿通された支持ボルト４１に螺後して支持ボルト４１をソール部材１０に固定するナット４２と、布部材３０の支持孔３６に挿通された支持ボルト４１に螺合して布部材３０を固定する蝶ナット４３と、から構成されても良い。
【００５７】
このような構成により、ソール部材１０に取り付けられた布部材３０の左右側辺部近傍を容易に固定することができ、布部材３０の左右方向への移動を防止して、介護用歩行具１の安全性を高めることができる。これにより、歩行訓練時において、被介護者は、床面に沿うよう足を左右方向に移動させて床面を安全に清掃することができる。
【００５８】
以上説明の如く、本実施形態に係る介護用歩行具１によれば、ソール部材１０の底面を覆うように取り付けられた布部材３０によって被介護者の衝撃荷重を安全に吸収して被介護者の歩行負担を減らすことができる。また、布部材３０によって室内床面を清掃する効果を得ることもでき、被介護者は、日常生活の楽しさを感じながら安全な歩行訓練を行うことができる。これにより、歩行能力を回復する効果が高められることが期待される。
【００５９】
なお、本考案は、上記実施形態に限定されるものではなく、その他、本考案の要旨を逸脱しない範囲で、種々の変更実施が可能である。
【符号の説明】
【００６０】
１      介護用歩行具
２      履物
１０    ソール部材
１１    前ベルト支持部
１２    後ベルト支持部
１３    フック係止部
１４    布側辺支持部
１５    踵支持部
１６    布ロック部材
１７    回動軸
１８    係合部
１９    係合部  
２０    前ベルト
２１    尾錠
２２    後ベルト
２３    尾錠
２４    前支持部
２５    尾錠
２６    フック
２７    後支持部
３０    布部材
３１    支持布
３２    前支持ポケット
３３    支持布
３４    後支持ポケット
３５    横支持部
３６    支持孔
４０    支持孔
４１    支持ボルト
４２    ナット
４３    蝶ナット
【図１】
0003222615.tif 000003
【図２】
0003222615.tif 000004
【図３】
0003222615.tif 000005
【図４】
0003222615.tif 000006
【図５】
0003222615.tif 000007
【図６】
0003222615.tif 000008
【図７】
0003222615.tif 000009
【図８】
0003222615.tif 000010